(57)【要約】【課題】  従来のロック機構にあっては、床下ユニット側のカプラにシャンプー装置側のカプラを係合することでシャンプー装置を床側に固定し、また、前記カプラどうしの係合を解除することでシャンプー装置の移動が可能なようにしていたので、固定状態においてシャンプー装置に無理な移動力が加わった場合には、前記カプラに無理な力が加わってカプラが破損したり接続不良を起こすといった問題があった。【解決手段】  シャンプーユニットＡの後部に設けられたロックペダルＡ２ａを踏み込むことで下降する前後の係合部材Ａ２ｄと、該係合部材の降下によって床下ユニットＢのリンク機構と、該リンク機構が動作して該リンク機構の２つリンクが前記前後の係合部材と係合してロック状態となり、シャンプーユニットを床下ユニットにロック固定するようにした移動式シャンプー装置である。【選択図】        図１７
2005287815.tif 000002
【特許請求の範囲】
【請求項１】
シャンプーユニットの後部に設けられたロックペダルを踏み込むことで下降する前後の係合部材と、該係合部材の降下によって床下ユニットのリンク機構と、該リンク機構が動作して該リンク機構の２つリンクが前記前後の係合部材と係合してロック状態となり、シャンプーユニットを床下ユニットにロック固定するようにしたことを特徴とする移動式シャンプー装置。
【請求項２】
前記係合部材がロックされた後において、カプラペダルを踏み込みシャンプーユニット側のカプラと床下ユニットのカプラを接続するために前記シャンプーユニット側のカプラを押し下げることにより、該シャンプーユニット側に取付けられている移動部材によって前記リンク機構がさらに動作して前記前側の係合部材と、該係合部材と係合されるリンクとの係合がより強固に係合されるようにしたことを特徴とする請求項１記載の移動式シャンプー装置。
【請求項３】
前記後側の係合部材は、左右方向に一対設けられ、この係合部材の降下により床下ユニット側の押下部材が降下することで、前記リンク機構が動作を開始するようにしたことを特徴とする請求項１記載の移動式シャンプー装置。
【請求項４】
前記後側の係合部材は円錐状に形成され、床下ユニット側に形成されている丸孔に前記係合部材が入り込む際に、位置ズレがあっても前記丸孔の中心位置に誘導して床下ユニットに対するシャンプーユニットの位置ズレを補正するようにしたことを特徴とする請求項１記載の移動式シャンプー装置。
【発明の詳細な説明】
【技術分野】
【０００１】
本発明は、理美容院において理美容椅子の背面側に移動して、被施術者の洗髪を行うための移動式シャンプー装置であって、特に、床下に埋設された床下ユニットと移動されてくる前記シャンプー装置との固定を行うためのロック機構に工夫を行った移動式シャンプー装置に関する。
【背景技術】
【０００２】
従来におけるこの種の移動式シャンプー装置において、床面に設置されている給排水トラップが収容されている床下ユニットと、移動してくる前記移動式シャンプー装置を固定および解除する機構としては、例えば、特開平６−８６７１１号公報に開示されている発明がある。この発明におけるシャンプー装置と床下ユニットとの固定は、床下ユニット側に取付けられているカプラとシャンプー装置側に取付けられているカプラを係合することで行い、また、解除は前記カプラの係合を解除することでシャンプー装置の移動可能としていた。
【特許文献１】特開平６−８６７１１号公報
【発明の開示】
【発明が解決しようとする課題】
【０００３】
ところで、前記したロック機構にあっては、床下ユニット側のカプラにシャンプー装置側のカプラを係合することでシャンプー装置を床側に固定し、また、前記カプラどうしの係合を解除することでシャンプー装置の移動が可能なようにしていたので、固定状態においてシャンプー装置に無理な移動力が加わった場合には、前記カプラに無理な力が加わってカプラが破損したり接続不良を起こすといった問題があった。
【０００４】
本発明は前記した問題点を解決せんとするもので、その目的とするところは、シャンプー装置と床ユニットとを機械的にロックする構造としたので、シャンプー装置に移動方向への力が加わっても移動することがなく、従って、給排水用のカプラに無理な力が加わって破損したり接続不良を起こすことがない移動式シャンプー装置を提供せんとするにある。
【課題を解決するための手段】
【０００５】
本発明の移動式シャンプー装置は前記した目的を達成せんとするもので、請求項１の手段は、シャンプーユニットの後部に設けられたロックペダルを踏み込むことで下降する前後の係合部材と、該係合部材の降下によって床下ユニットのリンク機構と、該リンク機構が動作して該リンク機構の２つリンクが前記前後の係合部材と係合してロック状態となり、シャンプーユニットを床下ユニットにロック固定するようにしたものである。
【０００６】
請求項２の手段は、前記した請求項１において、前記係合部材がロックされた後において、カプラペダルを踏み込みシャンプーユニット側のカプラと床下ユニットのカプラを接続するために前記シャンプーユニット側のカプラを押し下げることにより、該シャンプーユニット側に取付けられている移動部材によって前記リンク機構がさらに動作して前記前側の係合部材と、該係合部材と係合されるリンクとの係合がより強固に係合されるようにしたものである。
【０００７】
請求項３の手段は、前記した請求項１において、前記後側の係合部材は、左右方向に一対設けられ、この係合部材の降下により床下ユニット側の押下部材が降下することで、前記リンク機構が動作を開始するようにしたものである。
【０００８】
請求項４の手段は、前記した請求項１において、前記後側の係合部材は円錐状に形成され、床下ユニット側に形成されている丸孔に前記係合部材が入り込む際に、位置ズレがあっても前記丸孔の中心位置に誘導して床下ユニットに対するシャンプーユニットの位置ズレを補正するようにしたものである。
【発明の効果】
【０００９】
本発明は前記したように、ロック機構によってシャンプーユニットを床下ユニットに固定するようにしたので、従来のようなカプラによるロック手段と比較してカプラに余分な力が作用することがなく、カプラが破損したり接続不良を起こすことがないものである。
【００１０】
また、前記ロック機構によるロックは、カプラの接続時のシャンプーユニットの下降によって、より強固に行われるので、シャンプーユニット側に外力が加わってもガタついたりすることがない。
【００１１】
さらに、後側の係合部材を円錐状とし、床下ユニット側に形成されている丸孔に前記係合部材が入り込む際に、位置ズレがあっても前記丸孔の中心位置に誘導して床下ユニットに対するシャンプーユニットの位置ズレが自動的に補正され、床下ユニットに対するシャンプーユニットの位置合わせが簡単である等の効果を有するものである。
【発明を実施するための最良の形態】
【００１２】
本発明は、シャンプーユニット側のペダルを踏み込むことにより、床下ユニット側のリンク機構を動作させてロックが行われることにより、カプラに対して余分な力が加わらないようにした。
【実施例】
【００１３】
次に、本発明に係る移動式シャンプー装置の一実施例を図面と共に説明する。先ず、基本的な構造を図１〜図５と共に説明するに、下面にキャスターＡ１ａによって移動可能なシャンプーユニットＡと、床下に配管された湯水管とトラップの端部が収容された床下ユニットＢとから構成されている。前記キャスターＡ１ａが取付けられている筐体Ａ１内には、前記した床下ユニットＢ内に収容されている後に詳述するロック装置Ｂ２と係合させシャンプーユニットＡを固定するために前記ロック装置Ｂ２を駆動させるための後に詳述する駆動手段Ａ２と、床下ユニットＢ内の前記湯水管とトラップに接続されたカプラと着脱自在に接続されるカプラＡ３とが内蔵されている。なお、Ａ４は筐体Ａ１の上部に被施術者の座高に合わせて前後方向に移動および固定可能に取付けられたシャンプーボールである。
【００１４】
また、筐体Ａ１の後方には前記駆動手段Ａ２を押し下げるためのロックペダルＡ２ａと、前記カプラどうしを接続するためのカプラペダルＡ２ｂおよび接続状態のカプラを解除し、かつ、ロック装置のロック状態を解除するための解除ペダルＡ２ｃとが取付けられている。
【００１５】
さらに、床下ユニットＢの上面には床面と水平状態で覆う覆い板Ｂ１が取付けられ、該覆い板Ｂ１には前記シャンプーユニットＡにおけるロック手段Ａ２の係合部材Ａ２ｄによって開放されるカプラの上面を覆う蓋Ｂ１ａと、前記係合部材Ａ２ｄと対をなす係合部材Ａ２ｅの下降に伴って押下され、前記蓋Ｂ１ａを開放させると共に床下ユニットＢのロック装置Ｂ２と係合されてシャンプーユニットＡを定位置でロック固定するための押下部材Ｂ１ｂ、開閉蓋Ｂ１ｃとが取付けられている。
【００１６】
なお、各図においてＡ５はカプラＡ３から供給される湯と水を混合して適温に調整するための混合水栓、Ａ６は湯量調整のためのコック、Ａ７はシャワーヘッドである。
【００１７】
次に、洗髪作業を行う場合の動作について説明するに、理美容椅子（図示せず）の背面側の床下に設置された床下ユニットＢの位置までシャンプーユニットＡを移動して（図１参照）、ロック手段Ａ２における係合部材Ａ２ｄ，Ａ２ｅが床下ユニットＢの押下部材Ｂ１ｂ、開閉蓋Ｂ１ｃの近傍に位置した状態で、ロックペダルＡ２ａを施術者が足で踏むと駆動手段Ａ２が駆動して前記係合部材Ａ２ｄ，Ａ２ｅを下降させ、該係合部材Ａ２ｄが床下ユニットＢの押下部材Ｂ１ｂを押下させて前記ロック装置Ｂ２を駆動させる。このロック装置Ｂ２の降下によって、先ず、床下ユニットＢの蓋Ｂ１ａを後方に向かって上昇させる後に詳述する蓋開閉装置を動作させて蓋Ｂ１ａが床下ユニットＢのカプラの上面から退避させ、さらに、ロックペダルＡ２ａを踏み込むとさらに係合部材Ａ２ｄ，Ａ２ｅが下降して押下部材Ｂ１ｂ、開閉蓋１ｃを下降させるので、該床下ユニットＢのロック装置Ｂ２とが係合されてシャンプーユニットＡは床下ユニットＢに固定される（図２参照）。
【００１８】
次いで、カプラペダルＡ２ｂを踏むと、シャンプーユニットＡのカプラＡ３が下降を開始し、この下降に伴ってシャンプーユニットＡ側の混合水栓Ａ５から延びる水と湯のパイプおよびシャンプーボールＡ４の底面に接続された排水パイプが下降して、最終位置において床下に敷設されている水と湯および排水パイプに接続されている床下ユニットＢ内の水と湯および排水カプラとが水漏れが生じないよう接続される（図３参照）。また、カプラどうしの接続が終了した時には、前記ロック装置Ｂ２も動作していて係合部材Ａ２ｅとロック装置Ｂ２との係合状態は、より強固に結合された状態となって、床下ユニットＢに対してシャンプーユニットＡを確実に固定する。
【００１９】
この状態において、理美容椅子に着座している被施術者を仰臥させて、後ろ首をシャンプーボールＡ４の窪み部に乗せた状態で洗髪作業を行う（図４参照）。そして、洗髪作業が終了したなら、解除ペダルＡ２ｃを踏み込むとロック装置Ｂ２の前記カプラペダルＡ２ｂを踏み込んだことによりロックがより強固に行われていたロックが解除されると共に結合状態にあるカプラＡ３が離れ、次いで、ロック装置Ｂ２による係合部材Ａ２ｄとＡ２ｅのロックが解除され、かつ、蓋Ｂ１ａが閉じられ移動可能な状態となるものである（図５参照）。
【００２０】
以上が本発明の動作について概略を説明したが、次に、詳細な構造について図６以降と共に説明する。なお、前記した図１〜図５と同一符号は同一部材を示し説明は省略する。
先ず、床下ユニットＢの蓋Ｂ１ａを開放し、その後にシャンプーユニットＡを床下ユニットＢに固定するための駆動手段Ａ２とロック手段Ｂ２の構造について説明する。図６〜図１０はシャンプーユニットＡの全体を示し、キャスターＡ１ａが取付けされている一対の桟１に支柱２が取付けられ、この支柱２の上端にシャンプーボールＡ４が取付けられている。
【００２１】
支柱２側にはガイドレール（後述するスライド板２ｂによって見えない）が取付けられ、このガイドレールにスライド板２ｂが上下動自在に取付けられ、また、このスライド板２ｂには枠状のロック板２ｃとロックペダルＡ２ａが取付けられている。このロック板２ｃの後方（図６において左側）には一対の円錐状係合部材Ａ２ｄが取付けられ、また、前方（図７において左側）にも係合部材Ａ２ｅが取付けられている。また、前記スライド板２ｂと支柱２との間に２本のスプリング２ｄが張設され、スライド板２ｂを常時引き上げる方向にバネ付勢している。
【００２２】
このように構成されたシャンプーユニットＡにあっては、スプリング２ｄのバネ力に抗してロックペダルＡ２ａを踏み込むと、スライド板２ｂが下降して係合部材Ａ２ｄ，Ａ２ｅが真下に移動して後述する床下ユニットＢ内に入り込む。
【００２３】
次に、図１１〜図１３の床下ユニットＢの全体について説明するに、床下ユニットＢは床下に収容されており、開口面には床面と同じ高さ位置において覆い板Ｂ１が被されている。この覆い板Ｂ１には湯と水が供給される湯水カプラ３および排水カプラ４の上面を覆う蓋Ｂ１ａが臨む角孔が開口され、また、前記係合部材Ａ２ｄが下降して押下力が加わると下降する一対の押下部材Ｂ１ｂが臨む孔と、前記係合部材Ａ２ｅが下降して押下力が加わると開放される開閉蓋Ｂ１ｃが臨む孔が開口されている。
【００２４】
図１２、図１３は前記した湯水カプラ３と排水カプラ４を除く床下ユニットＢ全体を示し、図１４〜図１６は蓋Ｂ１ｂを開閉するためのリンク機構をまた、図１７〜図２２はロック装置Ｂ２のリンク機構を示した図であり、先ず、蓋Ｂ１ｂを開放するための機構は、スプリング４のバネ力で常時押し上げられる一対の押下部材Ｂ１ｂと、該押下部材Ｂ１ｂに一端が軸支された第１、第２のリンク５，６と、該第１の他端に一端が軸支された第１の補助リンク７と、第２のリンク６の他端に一端が軸支された第２の補助リンク８と、一端が床下ユニットＢの筐体に一端が軸支され他端が蓋Ｂ１ｂに軸支されたＵ字リンク９と、一端が筐体に軸支され他端が蓋Ｂ１ｂに軸支された開閉リンク１０と、前記補助リンク８の他端に一端が軸支されたロックリンク１１とより構成されている。
【００２５】
なお、前記した第１、第２のリンク５，６の他端は筐体に取付けられているレールに案内されるローラ５ａ，６ａが取付けられ、また、前記補助リンク７の先端はＵ字リンク９の回転支点に近い部分に軸支されている。さらに、前記ロックリンク１１の中間部は筐体から起立して形成されている固定リンク１２に軸支されている。また、ロックリンク１１の上端には筐体に軸支された開閉蓋Ｂ１ｃの回動を阻止するための阻止片１１ａが形成されている。
【００２６】
前記した蓋Ｂ１ａを開放するためのリンク機構の動作について説明するに、シャンプーユニットＡを床下ユニットＢの上まで移動して、係合部材Ａ２ｄが押下部材Ｂ１ｂの上まで位置した状態でロックペダルＡ２ａを踏み込むと、該ロックペダルＡ２ａの降下に伴って押下部材Ｂ１ｂが下降を開始する。押下部材Ｂ１ｂが下降すると第１、第２のリンク５，６のローラ５ａ，５ｂがレールに案内されて図１４〜図１６において右方向に移動する。
【００２７】
ここで、第１のリンク５のローラ５ａが右方向に移動すると、該ローラ１５ａの部分に軸支されている補助リンク７がＵ字状リンク９を矢印の方向（右端が回転支点）に回動させるので、蓋Ｂ１ａは上昇しながら左方向に移動する。この時、開閉リンク１０も蓋Ｂ１ａの移動に伴って回転するので、該開閉リンク１０とＵ字状リンク９とで平行リンクの役目をして蓋Ｂ１ａを略水平状態に保って移動させ、最終位置では蓋Ｂ１ａは湯水カプラ３と排水カプラ４の上から退避する状態となる。
【００２８】
一方、第２リンク６が右方向に移動すると、補助リンク８を右方向に移動させるので、ロックリンク１１を固定リンク１２との軸支点を支点として反時計方向に回転させる。これにより、ロックリンク１１の阻止片１１ａと当接していた開閉蓋Ｂ１ｃのバネ付勢によって反時計方向への回転を阻止していた阻止力が解除され、該開閉蓋Ｂ１ｃは図１６のように反時計方向に回転されて係合部材Ａ２ｅの通過が可能となるものである。
【００２９】
なお、係合部材Ａ２ｄによる押下力が解除されると、押下部材Ｂ１ｂにはスプリング４によるバネ力が作用しているので、該バネ力よって押下部材Ｂ１ｂが上昇すると第１、第２リンク５，６が元の位置に戻ることで蓋Ｂ１ａおよび開閉蓋Ｂ１ｃは閉じられて初期の状態に戻るものである。
【００３０】
次に、ロック装置Ｂ２の詳細を図１２、図１３および図１７〜図２５と共に説明する。
１３は床下ユニットＢの底面から起立している第１の起立板にして、この起立板１３には逆コの字状に形成されている第１リンク１４の下部折曲部が軸支され、また、第２リンク１５の一端が軸支されている。第３リンク１６の一端は床下ユニットＢの筐体側に軸支され、他端は後述する補助リンク１９の一端に軸支されている。前記第１リンク１４の上部折曲部にはピン１４ａが形成されており、該ピン１４ａは第２リンク１５に形成された長孔１５ａ内に臨んでいる。また、前記ピン１４ａにはボルト形状の軸棒１４ｂが一体的に取付けられ、軸棒１４ｂの頭部と第２リンク１５の端部との間にスプリング１５ｂが張設されている。
【００３１】
前記第１リンク１４の先端側にはロックリンク１７が軸支されると共に、該軸支する軸には渦巻きバネ１７ａがロックリンク１７を時計方向に回転させるように取付けられている。また、ロックリンク１７の先端にはローラ１７ｂが取付けられている。前記渦巻きバネ１７ａが取付けられた軸には連結リンク１８が軸支され、また、前記第３リンク１６の一端には前記連結リンク１８と軸支される補助リンク１９が軸支されている。
【００３２】
前記第３リンク１６と補助リンク１９との軸支点には一端が解除ピン２０の下端に軸支された解除リンク２１の他端が軸支されている。前記解除ピン２０は床下ユニットＢの筐体に上下動可能なように支持されており、ロック解除時には覆い板Ｂ１の表面と面一の状態となっており、また、ロック時には覆い板Ｂ１の表面より僅かに突出するようになっている。
【００３３】
前記連結リンク１８の先端には第２の起立板２２のガイド部２２ａで案内されるローラ１８ａが取付けられており、このローラ１８ａに第２の連結リンク２３が軸支されている。また、連結リンク１８にはＬ字状の第３の連結リンク２４の一端が軸支され、該連結リンク２４の他端にはロック杆移動リンク２５の下端に軸支されている。このロック杆移動リンク２５の上端にはガイド管２６によって摺動可能に案内されるロック杆２７の後端に軸支されている。
【００３４】
また、前記連結リンク２３の他端は床下ユニットＢから起立された起立板２２に一端が軸支された補助移動リンク２８の他端が軸支されている。また、起立板２２から分離された起立板にはピン２８ａが固定され、このピン２８ａには前記ロック杆移動リンク２５の中間部に形成された長孔２５ａが臨んでいる。前記ガイド管２６は揺動可能なように２つの軸支点で軸支されており、前記ピン２８ａが固定されている前記分離された起立板に軸支され、２つ目が揺動運動させるためのリンク２９に軸支されている。
【００３５】
そして、該リンク２９の下端は揺動リンク３０に軸支され、該揺動リンク３０は基端側が起立板２２に軸支されると共に床下ユニットＢの筐体との間に張設されているスプリング３０ａによって時計方向への回転力が作用するようになっている。また、揺動リンク３０の先端にはローラ３０ｂが取付けられている。
【００３６】
次に、前記したリンク機構に基づいてロック動作を説明するに、図１７、図２２の状態は、ロックペダルＡ２ａを踏み込み係合部材Ａ２ｄが押下部材Ｂ１ｂに当接した状態である。なお、係合部材Ａ２ｄは円錐状であることから、押下部材Ｂ１ｂとの位置が多少ずれていても、覆い板Ｂ１の孔を通過する途中で中心位置となるように係合部材Ａ２ｄをガイドしてスムーズな下降を容易にする。そして、前記状態において軸棒１４ｂによって軸支されたスプリング１５ｂは、軸棒１４ｂとピン１４ａをバネ力１５ｂの方向にバネ付勢されている。このバネ力１５ｂをリンク１４の回転支点とピン１４ａを繋ぐ軸の方向に対して平行（Ｙ方向）と垂直（Ｘ方向）にその力のベクトルが分解される。
【００３７】
ここで、バネ力１５ｂのＹ成分をバネ力Ｙ、Ｘ成分をバネ力Ｘとすると、リンク１４に取付けられたピン１４ａは、バネ力Ｘを受けるため、リンク１４は矢印ａの向きの回転モーメントが発生する。このモーメントによってリンク１４は矢印ａの方向に回転しようとするが、リンク１４とロックリンク１７および連結リンク１８とを軸支する軸（該軸にはウレタンが巻かれている）が第２リンク１５の側面に当接して回転不能な状態となり、従って、リンク１４の矢印ａ方向への回転は行われない。
【００３８】
この状態において、ロックペダルＡ２ａをさらに踏み込むと、押下部材Ｂ１ｂがさらに降下するので、リンク１４は反時計方向に回転されるが、この時、リンク１４の回転支点を中心に矢印ｂのような回転モーメントが発生する。この回転が図２３の位置関係のところまでくると、バネ力１５ｂの方向とバネ力Ｙの方向とが一致するため、バネ力Ｘ成分が零になる。そして、このままリンク１４が回転して図１９、図２４の位置まで達してデットポイントを過ぎると、前記とは逆方向のバネ力Ｘが発生し、リンク１４は押下部材Ａ２ｄの降下に関係なくスプリング１５ｂからのバネ力を受けることとなる。
【００３９】
この結果、ロックリンク１７のローラ１７ｂがガイド部Ｂ１ｃに沿って係合部材Ａ２ｄ側に移動し、該係合部材Ａ２ｄの下降に伴ってローラ１７ｂは係合部材Ａ２ｄに形成されている係合段部Ａ２ｄ１に係合され、従って、係合部材Ａ２ｄはロックリンク１７によってロックされる（図２０、図２５参照）。
【００４０】
一方、前記リンク１４が反時計方向に回転されることで、連結リンク１８、連結リンク２３を介して補助移動リンク２８に対して反時計方向の回転力が加わるが、該補助移動リンク２８は他端が起立板２２に軸支されているので、補助移動リンク２８と連結リンク２３との軸支点は下方に押し下げられる。なお、該軸支点にはローラが設けられている。また、連結リンク１８が移動することで、連結リンク２４も左方向に移動することから、ロック杆移動リンク２５がピン２８ａを支点として時計方向に回動されて、ロック杆移動リンク２５の先端が軸支されているロック杆２７がガイド管２６より突出して係合部材Ａ２ｅの係合段部Ａ２ｄ１に係合される。
【００４１】
前記した図２０のロック状態にあっては、係合部材Ａ２ｄにロックリンク１７のローラ１７ａが係合され、係合部材Ａ２ｅにロック杆２７が係合されてシャンプーユニットＡは前後において床下ユニットＢに固定された状態となっているが、この状態、特に、係合部材Ａ２ｅとロック杆２７とは単に係合状態であることから、シャンプーユニットＡに外力を加えた場合、ガタが生じる可能性がある。
【００４２】
そこで、後に詳述するカプラを接続するためにカプラペダルＡ２ｂを踏み込むことで下降する移動部材３１によりスプリング３０ａのバネ力に抗して揺動リンク３０のローラ３０ｂを押下することで、揺動リンク３０を反時計方向に回動させる。揺動リンク３０が反時計方向に回動されると、ガイド管２６はリンク２９を介して時計方向に回転されるので、ロック杆２７は係合部材Ａ２ｅに対して押し下げる力を加えるので、ロック杆２７と係合部材Ａ２ｅとはより強固に係合状態となる。また、補助移動リンク２８と連結リンク２３との軸支点は下方に押し下げられているので、前記移動部材３１により押し下げられるので、連結リンク２３が連結リンク１８を左方向に移動させ、ローラ１７ｂが係合部材Ａ２ｄの係合段部Ａ２ｄ１を押し下げる力を加え、ローラ１７ｂと係合部材Ａ２ｄとはより強固に係合状態となり、従って、シャンプーユニットＡに外力を加えてもガタつくのを防止することができるものである（図２１参照）。
【００４３】
次に、シャンプーユニットＡの冷水・温水および排水カプラと床下ユニットＢのカプラとを接続するためのリンク機構について図２６〜図３３と共に説明する。
カプラペダルＡ２ｂはカプラリンク３２の先端に取付けられ、該カプラリンク３２の先端はシャンプーユニットＡの基台側から起立されている取付片３２ａに回転可能に軸支された回転軸３２ｂに固定されている。また、カプラリンク３２と一体的に形成された連結リンク３３も回転軸３２ｂに固定されている。該連結リンク３３の他端は第２のリンク３４に軸支されている。また、第２のリンク３４の先端は支柱２側に設けられたスライドレール２ｆに対して上下動自在に支持された給排水ブロック３５に軸支されている。
【００４４】
前記給排水ブロック３５にはロック杆３６が取付けられ、給排水ブロック３５の上下動に伴って上下動するように構成されている。給排水ブロック３５の四隅には４個の軸受け孔３５ａが形成されており、この軸受け孔３５ａに４本の支持棒３７が水平方向には遊び（約３度傾斜可能）を有して支持されている。また、支持棒３７の下部には抜け止めを施してフレキシブルヘッド３８が上下動可能に軸支され、かつ、フレキシブルヘッド３８と給排水ブロック３５との間にはスプリング３９が介在されている。
【００４５】
前記フレキシブルヘッド３８には水と湯のカプラ４０と排水カプラ４１が取付けられている。また、給排水ブロック３５と支柱２との間にはスプリング２ｆが張設されており、該給排水ブロック３５を常時上方に向かってバネ付勢している。４２は床下ユニットＢ側に固定された水と湯のカプラであり、４３は排水カプラにして、床下を通って水道、湯沸器およびトラップに接続されている。また、カプラ４０は混合水栓Ａ５と接続され、排水カプラ４１はシャンプーボールＡ４に接続されている。
【００４６】
次に、給排水ブロック３５を下降してシャンプーユニットＡ側のカプラ４０，４１を床下ユニットＢ側のカプラ４２，４３と接続した状態で、該給排水ブロック３５がスプリング２ｆによって引き上げられるのを防止するために、ロック杆３６をロックするロック手段４４を図２８、図２９と共に説明する。
【００４７】
このロック手段４４は支柱２の中間部に取付けられており、図８、図２７に示すように、支柱２の固定板２ｇに中間部が軸支されたへの字をした回転リンク４４ａと、該回転リンク４４ａの一端に連結リンク４４ｂを介して連結された合成樹脂製のロックカム４４ｃと、前記回転リンク４４ａと固定板２ｇとの間に張設され回転リンク４４ａを反時計方向にバネ付勢するバネ４４ｄと、回転リンク４４ａの他端に取付けられたローラ４４ｅとから構成されている。なお、前記ロックカム４４ｃは中間部が固定板２ｇに軸支されている。
【００４８】
また、前記ローラ４４ｅは解除ペダルＡ２ｃを踏み込むと下降するリリース板４４ｇと摺接されている。このリリース板４４ｇは幅細部と幅広部とから構成され（図２９参照）、解除ペダルＡ２ｃが踏み込まれていない状態においてはローラ４４ｅは幅細部と当接して回転リンク４４ａやロックカム４４ｃは図２８の仮想線で示す位置にあり、解除ペダルＡ２ｃが踏み込まれるとローラ４４ｅは幅広部と当接して回転リンク４４ａやロックカム４４ｃは図２８の実線で示す位置となり、下降したロック杆３６の頂部側にロックカム４４ｃが回動してロック杆３６のスプリング２ｆによる上昇を可能とするものである。
【００４９】
次に、前記したカプラどうしを連結するためのリンク機構の動作について説明するに、カプラペダルＡ２ｂを踏み込むと、該カプラペダルＡ２ｂに連結されているカプラリンク３２および連結リンクを回転軸３２ｂを回転させながら反時計方向に回動する。この連結リンク３３が反時計方向に回動されると給排水ブロック３５が第２のリンク３４によってスプリング２ｆのバネ力に抗して下降するので、支持棒３７を介して取付けられているフレキシブルヘッド３８が下降する。
【００５０】
このフレキシブルヘッド３８に取付けられているカプラ４０，４１は床下ユニットＢ側のカプラ４２，４３に向かって下降を開始するが、ここで、カプラ４０，４１は水平方向に対して約３度の範囲内でスプリング３９によって自由に変移可能であることから、床下ユニットＢ側のカプラ４２，４３の取付け時に角度が付いて固定されているような場合でもカプラ４０，４１とカプラ４２，４３との接続が無理な力が加えられることなく行えるので、カプラ４０〜４３およびこれらのカプラを軸支する部材の破損を招くことなく寿命の長期化を図ることができるものである。
【００５１】
また、カプラ４０，４１とカプラ４２，４３とが接続された状態において（図３１参照）、ロック杆３６をロックするためのロック手段４４は、ロック杆３６が下降する時にはロックカム４４ｃの側面ａがロック杆３６の側面に当接した状態となっているので、ロック杆３６はフリーな状態で下降する。そして、ロック杆３６がロックカム４４ｃを通過するとバネ４４ｄのバネ力によって図２８の仮想線の位置に移動して、ロック杆３６の頂部を塞ぐ状態となり、従って、カプラペダルＡ２ｂから足を離してもロック杆３６がロックカム４４ｃの位置で固定されるためにカプラ間の接続状態は維持されるものである。
【００５２】
なお、前記した実施例にあっては、水平方向に移動可能とすることで、カプラどうし４０と４２および４１と４３の位置がずれていたり角度が付いていても接続が良好におこなえるようにした構成（給排水ブロック３５、支持棒３７、フレキシブルヘッド３８、スプリング３９）をシャンプーユニットＡ側に取付けた場合について説明したが、この構成を床下ユニットＢ側に取付けても前記した動作が行えるものである。
【００５３】
ここで、図３２、図３３について説明するに、本発明にあっては、水と湯のカプラ４０，４２は公知のものであるが、排水カプラ４１，４３には新しい構造のものとした。これは、床下ユニットＢ側の排水カプラ４３は、シャンプーユニットＡ側のカプラ４１が接続される前の状態時には、カプラ４１との接続部を閉塞した状態となし、これにより、排水パイプ内に排出された湯の蒸気が床下ユニットＢ内に籠もり、籠もった蒸気が冷却されて水となって床下ユニットＢ内に溜まらないようにしたものである。
【００５４】
排水カプラ４３内にスプリング４３ａによって常時押し上げられる弁体４３ｂが収容されている。弁体４３ｂにはパッキンからなる弁座４３ｃが形成されており、また、カプラ４３の開口部にも弁座４３ｄが形成され弁座４３ｃ，４３ｄとが接触することで排水パイプからの蒸気が入り込まない構成されている。なお、４３ｄはパッキンを有する凹状の雌部である。
【００５５】
一方、シャンプーユニットＡ側の排水カプラ４１にもスプリング４１ａによって押下される弁体４１ｂが収容されている。この弁体４１ｂは排水カプラ４１の下端に取付けられた雄部材４１ｃに対してパッキンからなる弁座４１ｄに当接して閉塞状態を保持している。なお、４１ｄは前記凹部４３ｄ内に入り込む雄部である。
【００５６】
このように構成された排水カプラ４１，４３は、非接続状態にあっては弁座４１ｃ，４３ｃは閉じられた状態となっているので、シャンプーボールＡ４よりの溜まった水が外部に漏れることがなく、また、排水パイプ内の排水からの蒸気が床下ユニットＢ内に漏れることはない。
【００５７】
この状態において前記した動作によって給排水ブロック３５が下降すると、カプラ４１の弁体４１ｂの突出部がカプラ４３の弁体４３ｂの突出部と当接して、弁体４１ｂはスプリング４１ａのバネ力に抗して押し上げられ、また、弁体４３ｂはスプリング４３ａのバネ力に抗して押し下げられる。また、雄部４１ｄは雌部４３ｄ内に入り込みパッキンで密閉された状態なるが、この時、弁体４１ｂは上昇し、弁体４３ｂは下降するので、図３３に示すように、内部は流通状態となり、排水カプラ４１より排水される排水は排水カプラ４３内に流れて排水パイプに排水されるものである。
【００５８】
次に、前記したようにシャンプーユニットＡを床下ユニットＢにロック固定し、かつ、カプラ４０〜４３を接続して洗髪作業を行い、該洗髪作業が終了してシャンプーユニットＡを移動する場合の動作について説明する。
ここで、解除ペダルＡ２ｃを踏み込むと、前記したリリース板４４ｇが下降を開始し、ローラ４４ｅがリリース板４４ｇの幅広部に当接すると回転リンク４４ａはバネ４４ｄのバネ力に抗して時計方向に回転されるので、ロックカム４４ｃは図２７の実線に示すよう反時計方向に回転されてロック杆３６の位置より退避する。従って、ロック杆３６のロック状態が解除されるので、給排水ブロック３５はスプリング２ｆのバネ力によって初期位置まで上昇して停止する。
【００５９】
さらに、解除ペダルＡ２ｃを踏み込むと、該解除ペダルＡ２ｃの降下と連動して降下する押下ピン（図示せず）が解除ピン２０を押し下げるので、解除リンク２１が右方向に移動して第３のリンク１６を介してロックリンク１７のローラ１７ｂを係合部材Ａ２ｄの係合段部Ａ２ｄ１から離れる方向に移動させ、ロックリンク１７と係合部材Ａ２ｄとのロックを解除させる。
【００６０】
また、前記カプラペダルＡ２ｂを踏み込むことで下降する移動部材３１が上昇したことで、揺動リンク３０はスプリング３０ａにより時計方向に回動してガイド管２６を反時計方向に回動させ、ロック杆２７と係合部材Ａ２ｅとの係合状態が解除されている。そして、この状態において前記したように解除リンク２１が右方向に移動することで、連結リンク１８を右方向に移動させて連結リンク２３が補助移動リンク２８を反時計方向に回動させることにより、該補助移動リンク２８に連結されているロック杆２７を後退させ、係合部材Ａ２ｅとの係合を解除させる。従って、スライド板２ｂはスプリング２ｄのバネ力によって上昇するが、解除ペダルＡ２ｃを勢いよく踏み込んで前記給排水ブロック３５が完全に上昇する前にスライド板２ｂが上昇すると、床下ユニットＢの蓋Ｂ１ａとカプラ４０，４１とが当接して金属音を発生し、また、蓋Ｂ１ａが閉まらなくなる可能性がある。
【００６１】
そこで、本発明にあっては、ロックが解除され上昇状態となった時にスライド板２ｃを緩やかに上昇させるために図６、図２５に示す緩衝装置を設けた。この緩衝装置はスライド板２ｃに取付けられ上下動するラック４５と、該ラック４５に噛合されてラック４５を緩やかに上昇させるための歯車を有し、支柱２側に固定された緩衝部材４６とから構成されている。従って、スライド板２ｃがスプリング２ｄによって引き上げられると、ラック４５が緩衝部材４６に噛合されていることから、緩やかに上昇することとなり、前記した干渉を引き起こすことを防止できるものである。
【００６２】
このようにしてスライド板２ｃが緩やかに上昇して初期位置まで戻ると、シャンプーユニットＡの床下ユニットＢへのロックが完全に解除される。また、係合部材Ａ２ｄが上昇することで、押下部材Ｂ１ｂが上昇して蓋Ｂ１ａは前記した開放動作とは逆の動作により閉じられる。そして、シャンプーユニットＡはフリーな状態となるので、シャンプーユニットＡを移動して所定の位置に移動したり、あるいは他の床下ユニットＢの位置まで移動して、次の洗髪作業を行うことが可能となるものである。
【００６３】
前記した実施例においては、排水カプラどうしの接続を外した時に、シャンプーユニット側の排水カプラから滴り落ちた水によって、あるいは、他のカプラとの接続不良等によって床下ユニット内に水が溜まってしまい、床下ユニット内から汚水が溢れ出る可能性がある。
【００６４】
そこで、本発明にあっては、図１１および図３４に示すように、床下ユニットＢ内に水が所定量溜まった時に自動的にトラップを介して排水パイプから溜まった水を排水するようにした。図において、前記排水カプラ４３に接続されたトラップ４６に排水孔（図示せず）を形成すると共に、該排水孔を開閉する弁４６ａをトラップ４６に軸支した回転自在な軸棒４６ｂに取付け、また、該軸棒４６ｂを床下ユニットＢの筐体から外側に向かって伸長すると共に筐体に沿って折曲し、その先端にフロート４６ｃを取付けたものである。
【００６５】
そして、床下ユニットＢを図示しない床下に前もって収納されたケース内に収容することで、万が一、該ケース内に水が溜まった場合には、前記フロート４６ｃが浮き上がって軸棒４６ｂを回動させるので、該軸棒４６ｂの回動により弁４６ａが開口孔を開放する。これにより、床下ユニットＢからケースに溢れた水はトラップ４６内に流れ込みケースおよび筐体内に一定量以上の水が溜まることがなく、リンク機構の動作不良が発生するのを防止できる。
【００６６】
なお、前記した実施例にあっては、蓋Ｂ１ａの開放を行うためのペダルとロックを行うためのペダルは同一のもとしてロックペダルＡ２ｄによって行ったものについて説明したが、蓋Ｂ１ａの開放を行うためのペダルとロックを行うためのペダルは別々のものであってもよい。
【図面の簡単な説明】
【００６７】
【図１】（ａ）はシャンプーユニットを床下ユニットへ移動している状態の側面図、（ｂ）は平面図である。
【図２】（ａ）はロックペダルを踏み込んだ状態の側面図、（ｂ）は平面図である。
【図３】ロックペダルとカプラペタルとを踏み込んでロックおよびカプラ接続状態の側面図である。
【図４】洗髪状態を示す側面図である。
【図５】解除ペダルを踏み込んでロックおよびカプラを解除した状態の側面図である。
【図６】シャンプーユニットを後方から見た斜視図である。
【図７】シャンプーユニットを前方から見た斜視図でる。
【図８】シャンプーボールを外した状態のシャンプーユニットの平面図である。
【図９】同上の右側面図である。
【図１０】図８の前方から見た正面図である。
【図１１】覆い板を分離した状態の床下ユニットの斜視図である。
【図１２】床下ユニットのロック前の斜視図である。
【図１３】同上のロック途中の斜視図である。
【図１４】床下ユニットの蓋を開放するためのリンク機構における蓋を開放する前の側面図である。
【図１５】同上の蓋を開放する途中を示す側面図である。
【図１６】同上の蓋を開放した状態の側面図である。
【図１７】床下ユニットにシャンプーユニットをロックするためのリンク機構におけるロック前の側面図である。
【図１８】同上の途中を示す側面図である。
【図１９】同上の状態からさらにロック動作が進んだ状態を示す側面図である。
【図２０】ロック状態を示す側面図である。
【図２１】カプラが接続されてさらに強固にロックが行われた状態の側面図である。
【図２２】図１７の右側部分の拡大側面図である。
【図２３】同上のさらにロック状態が進んだ拡大側面図である。
【図２４】図１８の右側部分の拡大側面図である。
【図２５】図１９の右側部分の拡大側面図である。
【図２６】床下ユニットにシャンプーユニットがロックおよびカプラが接続された状態のシャンプーユニットを後方から見た斜視図である。
【図２７】同上の前方から見た状態の斜視図である。
【図２８】ロック杆をロックするためのロック手段の平面図である。
【図２９】同上のリリース板とローラとの関係を示す側面図である。
【図３０】カプラペダルの踏み込みによりカプラを接続する状態を示す側面図である。
【図３１】同上の接続完了状態の側面図である。
【図３２】カプラどうしの接続前の断面図である。
【図３３】同上の接続完了状態の断面図である。
【図３４】筐体内に溜まった水をフロートの浮上によって排水する構造を示す床下ユニットの斜視図である。
【符号の説明】
【００６８】
Ａ          シャンプーユニット
Ａ２ａ      ロックペダル
Ａ２ｄ      係合部材
Ｂ          床下ユニット
Ｂ１ｂ      押下部材
３１        移動部材
４０〜４３  カプラ
【図１】
2005287815.tif 000003
【図２】
2005287815.tif 000004
【図３】
2005287815.tif 000005
【図４】
2005287815.tif 000006
【図５】
2005287815.tif 000007
【図６】
2005287815.tif 000008
【図７】
2005287815.tif 000009
【図８】
2005287815.tif 000010
【図９】
2005287815.tif 000011
【図１０】
2005287815.tif 000012
【図１１】
2005287815.tif 000013
【図１２】
2005287815.tif 000014
【図１３】
2005287815.tif 000015
【図１４】
2005287815.tif 000016
【図１５】
2005287815.tif 000017
【図１６】
2005287815.tif 000018
【図１７】
2005287815.tif 000019
【図１８】
2005287815.tif 000020
【図１９】
2005287815.tif 000021
【図２０】
2005287815.tif 000022
【図２１】
2005287815.tif 000023
【図２２】
2005287815.tif 000024
【図２３】
2005287815.tif 000025
【図２４】
2005287815.tif 000026
【図２５】
2005287815.tif 000027
【図２６】
2005287815.tif 000028
【図２７】
2005287815.tif 000029
【図２８】
2005287815.tif 000030
【図２９】
2005287815.tif 000031
【図３０】
2005287815.tif 000032
【図３１】
2005287815.tif 000033
【図３２】
2005287815.tif 000034
【図３３】
2005287815.tif 000035
【図３４】
2005287815.tif 000036